(57)【要約】      （修正有）【課題】膨大な量のメモリを必要とせず、再送信バッファからデータが溢れないようにする基地局装置を提供する。【解決手段】送信データを保持する第１の動作で基地局装置２０が動作するときに、制御装置１０は、データの受信の成否を知らせる移動局からの信号、すなわち肯定的信号や否定的信号を取得する。制御装置１０は、取得した肯定的信号や否定的信号の数を計算し、肯定的信号や否定的信号の数を基に、基地局装置２０と移動局間の通信品質に対応する値を求める。制御装置１０は、通信品質に対応する値が所定値以下であった場合に、送信データを保持しない第２の動作への切り替えを基地局装置２０に指示する。基地局装置２０は、その指示に基づいて、第２の動作で動作し、データを保持しなくなる。【選択図】図１
2014049809.tif 000002
【特許請求の範囲】
【請求項１】
送信したデータを保持し、前記データの受信の成否を知らせる移動局からの信号に基づいて再送する第１の動作や、前記データを再送しない第２の動作で動作可能な基地局装置を制御する制御装置であって、
前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記基地局装置に指示する、
ことを特徴とする制御装置。
【請求項２】
前記通信品質に対応する値は、前記否定的信号の数に対する前記肯定的信号の数の比率である、
ことを特徴とする請求項１に記載の制御装置。
【請求項３】
前記肯定的信号と前記否定的信号のいずれも受信しなかったときに生成される信号、すなわち無応答信号を前記基地局装置から取得し、前記肯定的信号の数、前記否定的信号の数、および前記無応答信号の数を基に、前記基地局装置と前記移動局間の通信品質に対応する値を求める、
ことを特徴とする請求項１に記載の制御装置。
【請求項４】
前記通信品質に対応する値は、前記肯定的信号の数、前記否定的信号の数、および前記無応答信号の数の総和に対する前記肯定的信号の数の比率である、
ことを特徴とする請求項３に記載の制御装置。
【請求項５】
前記基地局装置のメモリ使用量を測定し、前記通信品質に対応する値が所定値以下で、且つ、前記メモリ使用量が所定量以上であった場合に、前記第２の動作への切り替えを前記基地局装置に指示する、
ことを特徴とする請求項１乃至４のいずれか１項に記載の制御装置。
【請求項６】
前記メモリ使用量が所定量より小さい場合、前記第１の動作への切り戻しを前記基地局装置に指示する、
ことを特徴とする請求項５に記載の制御装置。
【請求項７】
送信したデータを保持し、前記データの受信の成否を知らせる移動局からの信号に基づいて再送する第１の動作や、前記データを再送しない第２の動作で動作可能な基地局装置であって、
前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作で動作することを決定する、
ことを特徴とする基地局装置。
【請求項８】
前記通信品質に対応する値は、前記否定的信号の数に対する前記肯定的信号の数の比率である、
ことを特徴とする請求項７に記載の基地局装置。
【請求項９】
送信したデータを保持し、前記データの受信の成否を知らせる対向装置からの信号に基づいて再送する第１の動作や、前記データを再送しない第２の動作で動作可能な装置を制御する制御方法であって、
前記装置が前記第１の動作で動作するときに、前記データの受信の成否を知らせる前記対向装置からの信号、すなわち前記データの受信が成功したこと示す肯定的信号や前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記装置に指示する、
ことを特徴とする制御方法。
【請求項１０】
前記通信品質に対応する値は、前記否定的信号の数に対する前記肯定的信号の数の比率である、
ことを特徴とする請求項９に記載の制御方法。
【発明の詳細な説明】
【技術分野】
【０００１】
本発明は、制御装置、基地局装置、制御方法に関し、特に、ＲＬＣプロトコルを制御する制御装置、基地局装置、制御方法に関する。
【背景技術】
【０００２】
一般的に移動通信システムは、ＲＬＣ（Ｒａｄｉｏ  Ｌｉｎｋ  Ｃｏｎｔｒｏｌ）プロトコルを採用する。ＲＬＣプロトコルは、下記の非特許文献１に規定される通信プロトコルであり、ＴＭ（Ｔｒａｎｓｐａｒｅｎｔ  Ｍｏｄｅ）、ＵＭ（Ｕｎａｃｋｎｏｗｌｅｄｇｅ  Ｍｏｄｅ）、ＡＭ（Ａｃｋｎｏｗｌｅｄｇｅ  Ｍｏｄｅ）の３つの通信モードを提供する。
【０００３】
ＴＭで動作する装置は、ＲＬＣレイヤに入力されるデータ、すなわちＲＬＣ  ＳＤＵ（Ｓｅｒｖｉｃｅ  Ｄａｔａ  Ｕｎｉｔ）を、ＲＬＣ  ＰＤＵ（Ｐｒｏｔｏｃｏｌ  Ｄａｔａ  Ｕｎｉｔ）に変換して、対向する装置へ送信する。この際、ＴＭで動作する装置は、ＲＬＣ  ＳＤＵにシーケンス番号を付与せずに、ＲＬＣ  ＰＤＵに変換する。一方、ＵＭとＡＭで動作する装置は、ＲＬＣ  ＳＤＵを、シーケンス番号を付与した上でＲＬＣ  ＰＤＵに変換して、対向する装置へシーケンス番号順に送信する。対向する装置は、受信したＲＬＣ  ＰＤＵをシーケンス番号順に組み立てられるか確認することで、送信元の装置からＲＬＣ  ＰＤＵが抜けなく届いたかを認識する。ＡＭは、ＵＭと異なり、ＲＬＣ  ＰＤＵの再送を行なうモードである。その為に、ＡＭで動作する装置は、再送用のバッファを備え、そのバッファに、送信するＲＬＣ  ＰＤＵ（正確には、ＲＬＣ  ＰＤＵに対応するＡＭＤ（Ａｃｋｎｏｗｌｅｄｇｅｄ  Ｍｏｄｅ  Ｄａｔａ）  ＰＤＵ）を蓄積する。上述した装置は、基地局装置（ｅＮＢ：Ｅ−ＵＴＲＡＮ  ＮｏｄｅＢ）で、対向する装置はＵＥ（Ｕｓｅｒ  Ｅｑｕｉｐｍｅｎｔ）であってもよい。
【０００４】
再送用のバッファを備え、ＡＭにてデータ伝送を行う技術が、特許文献１に開示がされている。
【０００５】
特許文献１に開示されている通信システムの送信機（以下、「特許文献１の送信機」という）は、ＡＭで動作することを前提とし、ＰＤＵ発生器と、送信バッファと、再送信バッファと、ポーリングビット設定器を備える。ＰＤＵ発生器は、ＳＤＵからＰＤＵを作成する。送信バッファと再送信バッファは、ＰＤＵ発生器が作成したＰＤＵを格納する。ポーリングビット設定器は、送信するＰＤＵが送信ウインドーの最後のＰＤＵである時、ＰＤＵと共にポーリング情報を送信機の下位プロトコル階層に伝達する。特許文献１の送信機は、例えば以下のように動作する。
【０００６】
まず、ＰＤＵ発生器は、ＳＤＵからＰＤＵを作成し、作成されたＰＤＵは、送信バッファと再送信バッファに格納される。送信機は、受信機に送信するＰＤＵを送信バッファから選択する。ポーリングビット設定器は、選択されたＰＤＵが送信ウインドーの最後のＰＤＵである時、ＰＤＵと共にポーリング情報を送信機の下位プロトコル階層に伝達する。下位プロトコル階層は、ＰＤＵとポーリング情報を受信機に送信し、受信機は、ポーリング情報を受け取ると、ＰＤＵが成功的に受信された状態情報、若しくは成功的に受信されていない状態情報のいずれかを送信機に送る。送信機は、成功的に受信された状態情報（以下、「ＡＣＫ」という）を受信機から受け取ると、次に送信するＰＤＵの位置に送信ウインドーを更新する。送信機は、成功的に受信されていない状態情報（以下、「ＮＡＣＫ」という）を受け取ると、再送信バッファから再度ＰＤＵを送信する。送信機は、ＡＣＫを受け取るまでＰＤＵを再送信バッファに蓄積し続ける。
【０００７】
上述の構成や動作により、特許文献１の送信機は、送信ウインドーを適切な位置に更新でき、膠着状態（次のＰＤＵを送信できなくなる状態）の発生を防止することができる。
【先行技術文献】
【非特許文献】
【０００８】
【非特許文献１】3GPP TS 36.322 V10.0.0 (2010-12)  Technical Specification Group Radio Access Network; Evolved Universal Terrestrial Radio Access (E-UTRA); Radio Link Control (RLC) protocol specification (Release 10)
【特許文献】
【０００９】
【特許文献１】特開２００３−１９８６０４号公報
【発明の概要】
【発明が解決しようとする課題】
【００１０】
しかし、特許文献１の送信機を基地局装置（ｅＮＢ）に用いた場合、その基地局装置は、再送信バッファからＰＤＵが溢れないようにするために、膨大な量のメモリを必要とする、という課題があった。その理由を以下に説明する。
【００１１】
まず、特許文献１の送信機は、ＡＭで動作し、無線伝送路の通信品質劣化等により、受信機からＮＡＣＫを受け取った場合には、ＰＤＵ（以下、「データ」という）を再送信バッファから削除せず、蓄積し続ける。その送信機を用いる基地局装置（以下、「特許文献１の基地局装置」という）も、自セル配下に在圏する各ＵＥからＮＡＣＫを受け取ると、そのＵＥ分のデータを再送信バッファに蓄積し続ける。そして、特許文献１の基地局装置は、無線伝送路の通信品質劣化等により、多くのＵＥからＮＡＣＫを受け取った場合、蓄積を抑制する手段を備えていない為に、大量のデータをそのまま再送信バッファに蓄積し続けてしまう。大量のデータ量が再送信バッファから溢れないようにするために、特許文献１の基地局装置は、膨大なメモリ量の再送信バッファが必要であった。
【００１２】
本発明は、上記課題を解決する制御装置、基地局装置、制御方法を提供することを目的とする。
【課題を解決するための手段】
【００１３】
上記目的を達成するために、本発明の制御装置は、送信したデータを保持し、前記データの受信の成否を知らせる移動局からの信号に基づいて再送する第１の動作や、前記データを再送しない第２の動作で動作可能な基地局装置を制御する制御装置であって、前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記基地局装置に指示する。
【００１４】
上記目的を達成するために、本発明の基地局装置は、送信したデータを保持し、前記データの受信の成否を知らせる移動局からの信号に基づいて再送する第１の動作や、前記データを再送しない第２の動作で動作可能な基地局装置であって、前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作で動作することを決定する。
【００１５】
上記目的を達成するために、本発明の制御方法は、送信したデータを保持し、前記データの受信の成否を知らせる対向装置からの信号に基づいて再送する第１の動作や、前記データを再送しない第２の動作で動作可能な装置を制御する制御方法であって、前記装置が前記第１の動作で動作するときに、前記データの受信の成否を知らせる前記対向装置からの信号、すなわち前記データの受信が成功したこと示す肯定的信号や前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記装置に指示する。
【発明の効果】
【００１６】
本発明によれば、制御装置は、基地局装置が膨大な量のメモリを必要としないようにすることができる。
【図面の簡単な説明】
【００１７】
【図１】本発明の第１の実施の形態における制御装置の構成例を示す図である。
【図２】図２は、本発明の第１の実施の形態における制御装置１０の動作を説明する為の図である。
【図３】本発明の第１の実施の形態における制御装置１０のメモリ監視制御部１００と基地局装置（ｅＮＢ）２０のプロトコル制御部２０２間の動作を説明する為の図である。
【図４】本発明の第２の実施の形態における制御装置の構成例を示す図である。
【図５】本発明の第２の実施の形態における制御装置３０のメモリ監視制御部３００と基地局装置（ｅＮＢ）２０のプロトコル制御部２０２間の動作を説明する為の図である。
【図６】本発明の第３の実施の形態における制御装置の構成例を示す図である。
【発明を実施するための形態】
【００１８】
次に本発明の実施形態について、図面を参照して詳細に説明する。
【００１９】
［第１の実施の形態］
［構成の説明］
（１）第１の実施の形態における制御装置の構成と接続
図１は、本発明の第１の実施の形態における制御装置の構成例を示す図である。
【００２０】
第１の実施の形態における制御装置１０は、図１に示されるように、メモリ監視制御部１００から構成される。第１の実施の形態における制御装置１０は、基地局装置（ｅＮＢ）２０のＲＬＣプロトコルを制御する装置である。その為、第１の実施の形態における制御装置１０は、基地局装置（ｅＮＢ）２０のＲＬＣレイヤの機能部に接続される。
【００２１】
ここで、基地局装置（ｅＮＢ）２０のＲＬＣレイヤの機能部は、図１に示されるように、受信処理部２００と、送信処理部２０１と、プロトコル制御部２０２と、再送用待避メモリ２０３と、から構成される。プロトコル制御部２０２は、受信処理部２００と、送信処理部２０１と、再送用待避メモリ２０３に接続される。受信処理部２００と送信処理部２０１は、下位レイヤであるＭＡＣ（Ｍｅｄｉａ  Ａｃｃｅｓｓ  Ｃｏｎｔｒｏｌ）レイヤに接続される。また、図示していないが、プロトコル制御部２０２は、上位のレイヤであるＰＤＣＰ（Ｐａｃｋｅｔ  Ｄａｔａ  Ｃｏｎｖｅｒｇｅｎｃｅ  Ｐｒｏｔｏｃｏｌ）レイヤに接続される。
【００２２】
制御装置１０のメモリ監視制御部１００は、基地局装置（ｅＮＢ）２０のＲＬＣレイヤの機能部であるプロトコル制御部２０２と、再送用待避メモリ２０３に接続される。
【００２３】
また、制御装置１０のメモリ監視制御部１００は、電子回路やＦＰＧＡ（Ｆｉｅｌｄ−Ｐｒｏｇｒａｍｍａｂｌｅ  Ｇａｔｅ  Ａｒｒａｙ）、さらにＤＳＰ（Ｄｉｇｉｔａｌ  Ｓｉｇｎａｌ  Ｐｒｏｃｅｓｓｏｒ）を用いて実現することができる。メモリ監視制御部１００は、ＣＰＵ（Ｃｅｎｔｒａｌ  Ｐｒｏｃｅｓｓｉｎｇ  Ｕｎｉｔ）を用いて実現してもよい。再送用待避メモリ２０３は、ＲＡＭ（Ｒａｎｄｏｍ  Ａｃｃｅｓｓ  Ｍｅｍｏｒｙ）等のメモリで実現される。
【００２４】
（２）第１の実施の形態における制御装置の機能
第１の実施の形態における制御装置１０は、基地局装置（ｅＮＢ）２０のＲＬＣレイヤの機能部に接続される装置であり、まず基地局装置（ｅＮＢ）２０のＲＬＣレイヤの各機能部の機能を以下に説明する。
【００２５】
受信処理部２００は、下位レイヤであるＭＡＣレイヤからＡＣＫ若しくはＮＡＣＫを受信し、出力する。
【００２６】
送信処理部２０１は、入力されるＲＬＣ  ＰＤＵを、下位レイヤであるＭＡＣレイヤに出力する。また、送信処理部２０１は、ＳＴＡＴＵＳ  ＰＤＵが入力されると、ＭＡＣレイヤに出力する。ＳＴＡＴＵＳ  ＰＤＵは、非特許文献１に規定される信号である。
【００２７】
プロトコル制御部２０２は、公知のＲＬＣプロトコルを実行する。すなわち、プロトコル制御部２０２は、非特許文献１に規定されるＡＭ若しくはＵＭの処理を行い、ＲＬＣ  ＰＤＵを出力する。また、プロトコル制御部２０２は、入力されるＡＣＫ若しくはＮＡＣＫを出力する。さらに、プロトコル制御部２０２は、ＲＬＣ  ＰＤＵを送信しても、その後ＡＣＫもＮＡＣＫも受信できない場合には、無応答を表す信号を出力する。プロトコル制御部２０２は、入力されるＡＭ若しくはＵＭの切り替えを指示する信号に基づいて、ＡＭ若しくはＵＭのいずれかにその処理を切り替える。また、プロトコル制御部２０２は、ＡＭ若しくはＵＭのいずれかに処理を切り替えた後、切り替えたモードをＳＴＡＴＵＳ  ＰＤＵに含めて、出力する。
【００２８】
次に、第１の実施の形態における制御装置１０の機能を説明する。
【００２９】
第１の実施の形態における制御装置１０のメモリ監視制御部１００は、ＡＣＫ、ＮＡＣＫ、若しくは無応答信号が入力される度に、これまでに入力されたＡＣＫ、ＮＡＣＫ、無応答信号の数をインクリメントする。例えば、メモリ監視制御部１００は、初めてＡＣＫが入力されると、これまでに入力されたＡＣＫの数を初期値０から１にインクリメントする。また、メモリ監視制御部１００は、これまでに入力されたＡＣＫやＮＡＣＫ、無応答信号の数を基に、ＡＭ若しくはＵＭの切り替えを判断する。切り替えの判断方法は、以下の動作の説明に詳細を記載する。メモリ監視制御部１００は、ＡＭ若しくはＵＭの切り替えを指示する信号をプロトコル制御部２０２に出力する。メモリ監視制御部１００は、ＡＭ若しくはＵＭの切り替えを判断した後、ＡＣＫやＮＡＣＫ、無応答信号の数を初期値に戻す。また、メモリ監視制御部１００は、再送用待避メモリ２０３の使用状況を公知の機能で測定する。
【００３０】
［動作の説明］
図２は、本発明の第１の実施の形態における制御装置１０の動作を説明する為の図である。また、図３は、本発明の第１の実施の形態における制御装置１０のメモリ監視制御部１００と基地局装置（ｅＮＢ）２０のプロトコル制御部２０２間の動作を説明する為の図である。図２や図３を用いて、本実施の形態の制御装置１０の動作を説明する。
【００３１】
まず、基地局装置（ｅＮＢ）２０が、公知のＡＭの動作を実行しているとする。例えば、図２に示されるように、基地局装置（ｅＮＢ）２０が、通信を行っているＵＥとの間でＳ１０〜Ｓ６０の動作を行っているとする。Ｓ１０〜Ｓ６０の動作の詳細を以下に説明する。
【００３２】
まず、基地局装置（ｅＮＢ）２０は、２つのＲＬＣ  ＰＤＵ＃１、＃２をＵＥに送信する（Ｓ１０）。このとき、基地局装置（ｅＮＢ）２０の各機能部は、ＲＬＣ  ＰＤＵ＃１、＃２をＵＥに送信する為に、以下の詳細動作を行う。
【００３３】
まず、プロトコル制御部２０２は、ＰＤＣＰレイヤから入力されたＲＬＣ  ＳＤＵをもとに、ヘッダの付与やＰｏｌｌｉｎｇ  ｂｉｔの設定等を行ってＲＬＣ  ＰＤＵ＃１、＃２を作成し、送信処理部２０１に出力する。この際、プロトコル制御部２０２は、ＲＬＣ  ＰＤＵ＃２については、そのＰｏｌｌｉｎｇ  ｂｉｔを１に設定する。また、プロトコル制御部２０２は、ＲＬＣ  ＰＤＵ＃１、＃２に対応するＡＭＤ  ＰＤＵを再送用待避メモリ２０３に保存する。次に、送信処理部２０１は、プロトコル制御部２０２から入力されたＲＬＣ  ＰＤＵ＃１、＃２を下位のＭＡＣレイヤに出力する。ＭＡＣレイヤは、送信処理部２０１から入力されたＲＬＣ  ＰＤＵ＃１、＃２を、さらに下位のレイヤ１の機能部を経由させて、ＵＥに出力する。
【００３４】
次に、ＵＥは、Ｐｏｌｌｉｎｇ  ｂｉｔが１であるＲＬＣ  ＰＤＵ＃２を受信すると、それまでに受信したＲＬＣ  ＰＤＵがシーケンス番号順に組み立てられるかを確認する。ここでは、ＵＥは、シーケンス番号順にＲＬＣ  ＰＤＵ＃１、＃２を組み立てられたとして説明を進める。ＵＥは、ＲＬＣ  ＰＤＵがシーケンス番号順に組み立てられると、正常に受信できたことを示すＳＴＡＴＵＳ  ＰＤＵ、すなわちＡＣＫを基地局装置（ｅＮＢ）２０に出力する（Ｓ２０）。
【００３５】
基地局装置（ｅＮＢ）２０は、ＵＥからＡＣＫを受信すると、ＲＬＣ  ＰＤＵ＃１、＃２を再送対象とせず、次のＲＬＣ  ＰＤＵ＃３、＃４、＃５をＵＥに送信する（Ｓ３０）。このとき、基地局装置（ｅＮＢ）２０の各機能部は、次のＲＬＣ  ＰＤＵ＃３、＃４、＃５をＵＥに送信する為に、以下の動作を行う。
【００３６】
受信処理部２００は、受信したＡＣＫをプロトコル制御部２０２に通知する。次に、プロトコル制御部２０２は、ＡＣＫが通知されると、ＲＬＣ  ＰＤＵ＃１、＃２に対応するＡＭＤ  ＰＤＵを再送用待避メモリ２０３から削除する。また、プロトコル制御部２０２は、次のＲＬＣ  ＰＤＵ＃３、＃４、＃５について、上述（Ｓ１０）に記載した詳細動作を行って、ＵＥに送信する。この際、プロトコル制御部２０２は、ＲＬＣ  ＰＤＵ＃５については、そのＰｏｌｌｉｎｇ  ｂｉｔを１に設定する。
【００３７】
次に、ＵＥは、Ｐｏｌｌｉｎｇ  ｂｉｔを１であるＲＬＣ  ＰＤＵ＃５を受信すると、それまでに受信したＲＬＣ  ＰＤＵがシーケンス番号順に組み立てられるかを確認する。ここでは、ＵＥは、例えば、ＲＬＣ  ＰＤＵ＃４が受信できておらず、シーケンス番号順にＲＬＣ  ＰＤＵ＃３、＃４、＃５を組み立てられなかったとして説明を進める。ＵＥは、シーケンス番号順にＲＬＣ  ＳＤＵ＃３、＃４、＃５を組み立てられなかったので、ＮＡＣＫを基地局装置（ｅＮＢ）２０に出力する（Ｓ４０）。
【００３８】
次に、基地局装置（ｅＮＢ）２０は、ＵＥからＮＡＣＫを受信すると、ＲＬＣ  ＰＤＵ＃３、＃４、＃５を再送する（Ｓ５０）。このとき、基地局装置（ｅＮＢ）２０の各機能部は、ＲＬＣ  ＰＤＵ＃３、＃４、＃５を再送する為に、以下の動作を行う。
【００３９】
まず、受信処理部２００は、ＵＥからＮＡＣＫを受信すると、プロトコル制御部２０２へＮＡＣＫを通知する。プロトコル制御部２０２は、ＮＡＣＫを受信すると、ＲＬＣ  ＳＤＵ＃３、＃４、＃５に対応するＡＭＤ  ＰＤＵを再送用待避メモリ２０３から取得し、ＲＬＣ  ＰＤＵに変換し、その後、上述（Ｓ１０）に記載した詳細動作を行って、ＵＥに送信する。
【００４０】
この後、基地局装置（ｅＮＢ）２０のプロトコル制御部２０２は、ＡＣＫを受信できれば、ＲＬＣ  ＰＤＵ＃３、＃４、＃５に対応するＡＭＤ  ＰＤＵを再送用待避メモリ２０３から削除する（Ｓ６０）。
【００４１】
基地局装置（ｅＮＢ）２０は、上述したように、公知のＡＭの動作を実行する。
【００４２】
なお、図３に示されるように、基地局装置（ｅＮＢ）２０のプロトコル制御部２０２は、ＡＭ動作中、受信処理部２００からＡＣＫやＮＡＣＫを受信する度に、受信したＡＣＫやＮＡＣＫを制御装置１０のメモリ監視制御部１００に出力する。また、プロトコル制御部２０２は、Ｐｏｌｌｉｎｇ  ｂｉｔが１であるＲＬＣ  ＰＤＵを送信しても、ＡＣＫもＮＡＣＫも受信できない場合には、無応答を表す信号（以下、「無応答信号」という）をメモリ監視制御部１００に出力する（Ｓ１００）。
【００４３】
次に、本実施の形態の制御装置１０の動作を説明する。
【００４４】
メモリ監視制御部１００は、図３に示されるとおり、プロトコル制御部２０２からＡＣＫ、ＮＡＣＫ、若しくは無応答信号が入力される度に、これまでに入力されたＡＣＫやＮＡＣＫ、無応答信号の数をインクリメントする（Ｓ１０１）。例えば、メモリ監視制御部１００は、２回目のＡＣＫを受信すると、これまでに入力されたＡＣＫの数１をインクリメントし、２にする。
【００４５】
次に、メモリ監視制御部１００は、所定の周期毎に以下の動作を行う。
【００４６】
（Ｉ）まず、メモリ監視制御部１００は、これまでに入力されたＡＣＫやＮＡＣＫ、無応答信号の数を基に、基地局装置（ｅＮＢ）２０とＵＥ間の通信品質に対応する値を求める（Ｓ１０２）。具体的には、メモリ監視制御部１００は、これまでに入力されたＡＣＫやＮＡＣＫ、無応答信号の数の総和を求め、総和に対するＡＣＫの数の比率を算出し、その算出結果を通信品質に対応する値とする。なお、メモリ監視制御部１００は、ＮＡＣＫの数に対するＡＣＫの数の比率を算出し、その算出結果を通信品質に対応する値にしてもよい。
【００４７】
（ＩＩ）次に、メモリ監視制御部１００は、プロトコル制御部２０２がどの程度、再送用待避メモリ２０３を使用しているのか、そのメモリ量（以下、「メモリ使用量」という）を公知の機能で測定する（Ｓ１０３）。
【００４８】
（ＩＩＩ）次に、メモリ監視制御部１００は、通信品質に対応する値が所定値以下であるか否か（以下、「切替条件」という）を判断する（Ｓ１０４）。なお、上述の切替条件は、メモリ使用量が所定量以上、且つ、通信品質に対応する値が所定値以下であるか否かであってもよい。メモリ監視制御部１００は、上述の切替条件を満たす場合に、基地局装置とＵＥ間の通信品質が悪く、何度データを送信しても正常にＵＥに届かない状況だと認識することができる。
【００４９】
（ＩＶ）次に、メモリ監視制御部１００は、切替条件を満たすのであれば（Ｓ１０４でＹｅｓの場合）、ＵＥに正常に届かない送信データが再送用バッファに蓄積され続けないよう、ＵＭへ切り替えを指示する信号をプロトコル制御部２０２に出力する（Ｓ１０５）。
【００５０】
また、メモリ監視制御部１００は、切替条件を満たさない場合（Ｓ１０４でＮｏの場合）には、ＡＭ動作を継続する為、以下のＳ１０７を実施する。上述の所定の周期、所定量、および所定値は、本実施の形態の制御装置１０のユーザによってメモリ監視制御部１００に設定される。
【００５１】
（Ｖ）次に、メモリ監視制御部１００は、Ｓ１０５を実施した後は、それまでに再送用待避メモリ２０３に保存したＡＭＤ  ＰＤＵを削除する（Ｓ１０６）。
【００５２】
（ＶＩ）次に、メモリ監視制御部１００は、ＡＣＫやＮＡＣＫ、無応答信号の数を初期値０に戻し、Ｓ１０１に戻る（Ｓ１０７）。
【００５３】
次に、基地局装置（ｅＮＢ）２０のプロトコル制御部２０２は、ＵＭへ切り替えを指示する信号をメモリ監視制御部１００から受信すると、非特許文献１に規定されるＵＭの動作を実行する（Ｓ１０８）。すなわち、基地局装置（ｅＮＢ）２０は、公知のＵＭの動作を行う。ＵＭでは再送を行わないので、基地局装置（ｅＮＢ）２０は、再送用にデータを蓄積せず、その分、メモリを必要としなくなる。
【００５４】
なお、プロトコル制御部２０２は、図２に示す通り、切り替えたモードをＵＥへ知らせ、ＵＥの動作モードも基地局装置（ｅＮＢ）２０と一致させるようにしてもよい（Ｓ７０）。
【００５５】
具体的には、プロトコル制御部２０２がＵＥ宛のＳＴＡＴＵＳ  ＰＤＵの所定の場所に基地局装置（ｅＮＢ）２０の動作モードを表す識別子を記載し、公知の手段でＵＥに送信する。ＵＥは、受信したＳＴＡＴＵＳ  ＰＤＵの所定の場所を読み取り、そこに記載された識別子をもとに、自身のモードを切り替える。所定の場所は、ＳＴＡＴＵＳ  ＰＤＵの予約領域であってもよい。
【００５６】
また、メモリ監視制御部１００は、Ｓ１０５において、切替条件を満たすのであれば（Ｓ１０４でＹｅｓの場合）、ＵＭへ切り替えを指示する信号を出力する代わりに、Ｐｏｌｌｉｎｇ  ｂｉｔを常に０とする信号をプロトコル制御部２０２に出力するとしてもよい。プロトコル制御部２０２は、この信号を受信すると、Ｓ１０８を実行せず、送信するＲＬＣ  ＰＤＵのＰｏｌｌｉｎｇ  ｂｉｔを常に０にしたＲＬＣ  ＰＤＵをＵＥに送信する。このとき、ＵＥは、Ｐｏｌｌｉｎｇ  ｂｉｔが０のＲＬＣ  ＰＤＵを所定の回数受け続けると、ＵＭとして動作するＵＥであるものとする。
【００５７】
上述した実施形態では、１組の受信処理部２００と、送信処理部２０１と、プロトコル制御部２０２と、メモリ監視制御部１００（以下、「無線ベアラ機能部」という）が、１つのＵＥに関する信号（例えば、ＡＣＫやＮＡＣＫ、ＰＤＵ）を処理する。複数のＵＥの信号を処理する為に、複数の無線ベアラ機能部が基地局装置（ｅＮＢ）２０や制御装置１０に備わっていてもよい。各無線ベアラ機能部は、それぞれ独立して各ＵＥの信号を処理する。
【００５８】
また、制御装置１０は、基地局装置（ｅＮＢ）２０に接続する装置として記載したが、基地局装置（ｅＮＢ）２０と一体となり、基地局装置（ｅＮＢ）２０内の一機能部として備わっていてもよい。このとき、基地局装置（ｅＮＢ）２０は、通信品質に対応する値が所定値以下であった場合に、ＵＭで動作することを決定し、ＵＭで動作する。
【００５９】
［効果の説明］
本実施形態によれば、制御装置は、基地局装置が膨大な量のメモリを必要としないようにすることができる。
【００６０】
その理由としては、制御装置が、基地局装置とＵＥ間の通信品質が悪く、何度データを送信しても正常に届かない状況を検出し、正常に届かない送信データが再送用バッファに蓄積され続けないよう、基地局装置にＵＭで動作することを指示するからである。基地局装置は、ＵＭで動作することで、正常に届かない送信データを再送用のバッファに蓄積しなくなり、その結果、膨大な量のメモリも必要としなくなる。
【００６１】
また、本実施形態の制御装置は、基地局が膨大な量のメモリを必要としなくなるので、実装するメモリの数を抑えた安価な基地局を実現することができる。
【００６２】
［第２の実施の形態］
次に、本発明の第２の実施の形態について説明する。
【００６３】
［構成の説明］
図４は、本発明の第２の実施の形態における制御装置の構成例を示す図である。第２の実施の形態における制御装置３０は、図４に示されるように、メモリ監視制御部１００の代わりに、メモリ監視制御部３００を備える。メモリ監視制御部３００は、基地局装置（ｅＮＢ）２０のプロトコル制御部２０２と、再送用待避メモリ２０３に接続される。
【００６４】
メモリ監視制御部３００は、第１の実施の形態に記載した切替条件を満たすか否かを判断することに加え、メモリ使用量が所定量より小さいか否か（以下、「切戻し条件」という）も判断する。所定量は、メモリ使用量が十分に小さいと考えられる値であり、本実施形態の制御装置３０のユーザによってメモリ監視制御部３００に設定される。
【００６５】
メモリ監視制御部３００は、上述の切戻し条件を満たすのであれば、ＡＭへ切り戻しを指示する信号を出力する。
【００６６】
なお、上述した以外の構成や機能は、第１の実施の形態のおける制御装置と同じであるので、同一の符号を付して説明を省略する。
【００６７】
［動作の説明］
図５は、本発明の第２の実施の形態における制御装置３０のメモリ監視制御部３００と基地局装置（ｅＮＢ）２０のプロトコル制御部２０２間の動作を説明する為の図である。
【００６８】
メモリ監視制御部３００は、第１の実施形態で上述した切替条件を満たすか否かを判断することに加え、メモリ使用量が所定量より小さいか否か、すなわち切戻し条件も判断する（Ｓ２０４）。
【００６９】
次に、メモリ監視制御部３００は、切戻し条件を満たすのであれば、ＡＭへ切り戻しを指示する信号をプロトコル制御部２０２に出力する（Ｓ２０５）。
【００７０】
次に、プロトコル制御部２０２は、ＡＭへ切り戻しを指示する信号を受信すると、ＡＭの動作を実行する（Ｓ２０８）。
【００７１】
その他の動作については、第１の実施の形態の動作と同様である為、詳細の説明を省略する。
【００７２】
［効果の説明］
本実施形態によれば、制御装置は、ＵＭで動作させた基地局装置を再度ＡＭで動作させることができると共に、ＡＭに戻した直後に、再送用メモリからデータが溢れてしまわないようにすることができる。
【００７３】
その理由としては、制御装置は、再送用のバッファのメモリ使用量が十分に小さい場合にのみ、基地局装置にＡＭで動作することを指示することができるからである。
【００７４】
［第３の実施の形態］
次に、本発明の第３の実施の形態について説明する。
【００７５】
［構成の説明］
図６は、本発明の第３の実施の形態における制御装置の構成例を示す図である。第３の実施の形態における制御装置５００は、図６に示される通り、基地局装置６００と有線回線を介して接続される。基地局装置６００は、図示していないが、無線伝送路を介して、移動局に接続される。
【００７６】
基地局装置６００は、第１の動作や第２の動作で動作可能な基地局装置である。第１の動作は、送信したデータを保持し、移動局からの信号に基づいて再送する動作である。移動局からの信号とは、基地局装置６００が送信したデータを移動局にて正常に受信した（以下、「受信が成功した」という）か否か、すなわち受信の成否を移動局が基地局装置６００に知らせる信号である。第２の動作は、送信したデータ（以下、「送信データ」という）を再送しない動作である。第２の動作は、再送しないので、再送用に送信データを保持しない。上述の第１の動作は、ＲＬＣプロトコルに規定されるＡＭ（Ａｃｋｎｏｗｌｅｄｇｅ  Ｍｏｄｅ）であってもよいし、第２の動作は、ＲＬＣプロトコルに規定されるＵＭ（Ｕｎａｃｋｎｏｗｌｅｄｇｅ  Ｍｏｄｅ）であってもよい。
【００７７】
制御装置５００は、基地局装置６００が第１の動作で動作するときに、受信の成否を知らせる移動局からの信号、すなわちデータの受信が成功したこと示す肯定的信号や、データの受信が失敗したこと示す否定的信号を取得する。制御装置５００は、取得した肯定的信号や否定的信号の数を計算し、肯定的信号や否定的信号の数を基に、基地局装置６００と移動局間の通信品質に対応する値を求める。制御装置５００は、通信品質に対応する値が所定値以下であった場合に、第２の動作への切り替えを基地局装置６００に指示する。所定値は、本実施形態の制御装置５００のユーザによって制御装置５００に設定される。
【００７８】
[動作の説明]
制御装置５００は、基地局装置６００が第１の動作で動作するときに、受信の成否を知らせる移動局からの信号、すなわち肯定的信号や否定的信号を取得する。次に、制御装置５００は、取得した肯定的信号や否定的信号の数を計算し、肯定的信号や否定的信号の数を基に、基地局装置６００と移動局間の通信品質に対応する値を求める。通信品質に対応する値は、否定的信号の数に対する肯定的信号の数の比率であってもよい。制御装置５００は、通信品質に対応する値が所定値以下であった場合に、基地局装置５００と移動局間の通信品質が悪く、何度データを送信しても正常に移動局に届かない状況だと認識することができる。制御装置５００は、通信品質に対応する値が所定値以下であった場合に、第２の動作への切り替えを基地局装置６００に指示する。
【００７９】
基地局装置６００は、その指示に基づいて、第２の動作で動作し、移動局に正常に届かない送信データを再送用に保持しなくなる。
【００８０】
［効果の説明］
本実施形態によれば、制御装置は、基地局装置が膨大な量のメモリを必要としないようにすることができる。
【００８１】
その理由としては、制御装置が、基地局装置とＵＥ間の通信品質が悪く、何度データを送信しても正常に届かない状況を検出し、正常に届かないデータが再送用に保持されないよう、基地局装置に第２の動作で動作することを指示するからである。基地局装置は、第２の動作で動作し、正常に届かない送信データを再送用に保持しなくなるので、保持する為の膨大な量のメモリも必要としなくなる。
【００８２】
また、本実施形態の制御装置は、基地局が膨大な量のメモリを必要としなくなるので、実装するメモリの数を抑えた安価な基地局を実現することができる。
【００８３】
なお、上述した実施の形態は、その形態に限定されるものではなく、実施段階ではその要旨を逸脱しない範囲で種々変更可能である。
【００８４】
さらに、上記の各実施形態の一部又は全部は、以下の付記のようにも記載されうるが、以下には限られない。
（付記１）
送信したデータを保持し、前記データの受信の成否を知らせる移動局からの信号に基づいて再送する第１の動作や、前記データを再送しない第２の動作で動作可能な基地局装置を制御する制御装置であって、
前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記基地局装置に指示する、
ことを特徴とする制御装置。
（付記２）
前記通信品質に対応する値は、前記否定的信号の数に対する前記肯定的信号の数の比率である、
ことを特徴とする付記１に記載の制御装置。
（付記３）
前記肯定的信号と前記否定的信号のいずれも受信しなかったときに生成される信号、すなわち無応答信号を前記基地局装置から取得し、前記肯定的信号の数、前記否定的信号の数、および前記無応答信号の数を基に、前記基地局装置と前記移動局間の通信品質に対応する値を求める、
ことを特徴とする付記１に記載の制御装置。
（付記４）
前記通信品質に対応する値は、前記肯定的信号の数、前記否定的信号の数、および前記無応答信号の数の総和に対する前記肯定的信号の数の比率である、
ことを特徴とする付記３に記載の制御装置。
（付記５）
前記基地局装置のメモリ使用量を測定し、前記通信品質に対応する値が所定値以下で、且つ、前記メモリ使用量が所定量以上であった場合に、前記第２の動作への切り替えを前記基地局装置に指示する、
ことを特徴とする付記１乃至４のいずれか１項に記載の制御装置。
（付記６）
前記メモリ使用量が所定量より小さい場合、前記第１の動作への切り戻しを前記基地局装置に指示する、
ことを特徴とする付記５に記載の制御装置。
（付記７）
送信したデータを保持し、前記データの受信の成否を知らせる移動局からの信号に基づいて再送する第１の動作や、前記データを再送しない第２の動作で動作可能な基地局装置であって、
前記基地局装置が前記第１の動作で動作するときに、前記データの受信の成否を知らせる前記移動局からの信号、すなわち前記データの受信が成功したこと示す肯定的信号や、前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作で動作することを決定する、
ことを特徴とする基地局装置。
（付記８）
前記通信品質に対応する値は、前記否定的信号の数に対する前記肯定的信号の数の比率である、
ことを特徴とする付記７に記載の基地局装置。
（付記９）
送信したデータを保持し、前記データの受信の成否を知らせる対向装置からの信号に基づいて再送する第１の動作や、前記データを再送しない第２の動作で動作可能な装置を制御する制御方法であって、
前記装置が前記第１の動作で動作するときに、前記データの受信の成否を知らせる前記対向装置からの信号、すなわち前記データの受信が成功したこと示す肯定的信号や前記データの受信が失敗したこと示す否定的信号を取得し、取得した前記肯定的信号や前記否定的信号の数を計算し、前記肯定的信号や前記否定的信号の数を基に、前記基地局装置と前記移動局間の通信品質に対応する値を求め、前記通信品質に対応する値が所定値以下であった場合に、前記第２の動作への切り替えを前記装置に指示する、
ことを特徴とする制御方法。
（付記１０）
前記通信品質に対応する値は、前記否定的信号の数に対する前記肯定的信号の数の比率である、
ことを特徴とする付記９に記載の制御方法。
（付記１１）
前記第１の動作は、ＲＬＣ（Ｒａｄｉｏ  Ｌｉｎｋ  Ｃｏｎｔｒｏｌ）プロトコルに規定されるＡＭ（Ａｃｋｎｏｗｌｅｄｇｅ  Ｍｏｄｅ）である、
ことを特徴とする付記１乃至４のいずれか１項に記載の制御装置。
（付記１２）
前記第２の動作は、ＲＬＣ（Ｒａｄｉｏ  Ｌｉｎｋ  Ｃｏｎｔｒｏｌ）プロトコルに規定されるＵＭ（Ｕｎａｃｋｎｏｗｌｅｄｇｅ  Ｍｏｄｅ）である、
ことを特徴とする付記１乃至４のいずれか１項に記載の制御装置。
【符号の説明】
【００８５】
１０    制御装置
２０    基地局装置（ｅＮＢ）
１００    メモリ監視制御部
２００    受信処理部
２０１    送信処理部
２０２    プロトコル制御部
２０３    再送用待避メモリ
３０    制御装置
３００    メモリ監視制御部
５００    制御装置
６００    基地局装置
【図１】
2014049809.tif 000003
【図２】
2014049809.tif 000004
【図３】
2014049809.tif 000005
【図４】
2014049809.tif 000006
【図５】
2014049809.tif 000007
【図６】
2014049809.tif 000008